(57)【特許請求の範囲】
【請求項１】
機械的エネルギの伝達経路上に配置される圧電素子と、前記圧電素子の電極両端の接続をオンまたはオフして前記圧電素子のバネ定数を変化させて前記機械的エネルギによる運動の振動周波数を制御する制御装置とを備えたことを特徴とする圧電調速機。
【請求項２】
請求項１記載の圧電調速機において、前記圧電素子は螺旋形状とされ、かつ重りと結合されており、前記圧電素子のバネ定数を変化させて重りによる振動周波数を制御することで機械的エネルギによる運動を制御していることを特徴とする圧電調速機。
【請求項３】
請求項１または２に記載の圧電調速機において、前記制御装置は、圧電素子で発電された電力で駆動されることを特徴とする圧電調速機。
【請求項４】
請求項１〜３のいずれかに記載の圧電調速機において、前記制御装置は、電池または電源により駆動されることを特徴とする圧電調速機。
【請求項５】
請求項１〜４のいずれかに記載の圧電調速機において、前記制御装置は、圧電素子の振動周波数が設定信号の周波数よりも低い場合に前記圧電素子の電極間の電気回路を切断してバネ定数を高くし、設定信号の周波数よりも高い場合に前記圧電素子の電極間の電気回路を接続してバネ定数を低くして運動を制御することを特徴とする圧電調速機。
【請求項６】
請求項５に記載の圧電調速機において、前記設定信号は、圧電調速機に備えられた基準信号源から出力されることを特徴とする圧電調速機。
【請求項７】
請求項１〜６のいずれかに記載の圧電調速機において、前記圧電素子で発電された電力を蓄える蓄電手段を備え、前記制御装置は、圧電素子および蓄電手段間の電気回路に設けられたスイッチを断続して、前記圧電素子のバネ定数を切り替えるとともに、前記スイッチを接続する際に前記圧電素子の各電極間をショートするように制御していることを特徴とする圧電調速機。
【請求項８】
機械的エネルギを供給する機械的エネルギ源と、請求項１〜７のいずれかに記載の圧電調速機とを備えることを特徴とする電子機器。
【請求項９】
請求項８に記載の電子機器は、前記機械的エネルギにより駆動される指針と、脱進機および調速機を備える電子制御式機械時計であり、前記圧電素子は、調速機のヒゲゼンマイとして用いられていることを特徴とする電子機器。
【発明の詳細な説明】
【０００１】
【発明の属する技術分野】
本発明は、圧電調速機およびこの圧電調速機を用いた電子機器に関する。
【０００２】
【背景技術】
従来より、ゼンマイが解放する時の機械的エネルギを増速輪列を介して発電機に伝達し、この発電機で電気エネルギに変換し、その電気エネルギにより回転制御手段を作動させて発電機のコイルに流れる電流値を制御することにより、輪列に固定された指針を正確に運針させて正確に時刻を表示する電子制御式機械時計が知られている（特開平８−５７５８号公報参照）。
【０００３】
この電子制御式機械時計は、ゼンマイを動力源として指針を駆動するためにモータが不要であり、部品点数が少なく安価であり、しかも電池駆動式の電子時計並の高精度を得られるという特徴がある。
【０００４】
【発明が解決しようとする課題】
しかしながら、この電子制御式機械時計は、発電機のコイルを流れる電流値等を制御することで、１方向に回転する発電機のロータの速度を調速する調速機を用いているために、以下のような課題がある。
（ａ）電子制御式機械時計では、発電機にブレーキを掛けることで発電機の回転速度つまりは指針を調速しているため、発電機に加えることができるブレーキの最大値（フルブレーキ）よりも高いトルクがゼンマイから加わると、調速することができず、針が進んでしまうという課題がある。
一方で、ゼンマイからのトルクが、制御限界よりも低い場合（ブレーキを掛けなくてもトルクが低いために運針が遅れる場合）には、指針が遅れてしまい、その遅れ量も累積されて指示誤差が大きくなってしまうという課題がある。
つまり、この調速機では、与えられるトルクが比較的狭い所定の範囲でなければ、制御ができないという課題がある。
【０００５】
（ｂ）制御回路が作動していない状態では、ゼンマイからのトルクが直接ロータに伝わってしまうため、ゼンマイのトルクの大きさによって調速の誤差も変動してしまうという課題がある。
例えば、前記電子制御式機械時計では、発電機を制御する制御回路を発電機からの電力で駆動しているため、針合わせ（時刻修正）のために発電機を停止させて制御回路も停止すると、針合わせ後、発電機からの電力が充電されるコンデンサが制御回路を駆動可能な電圧に上昇するまでの間は、無制御状態となり、正確な針合わせができない。このため、停止した制御回路が起動するまでの時間を短縮するための対策が必要となってコストが増加するという課題がある。
【０００６】
（ｃ）調速機が発電機を兼ねているために、コイル巻数を例えば１５万ターン等と大きくする必要があり、発電調速機が大型になって時計全体が大きくなり、コストも高くなるという課題がある。
【０００７】
（ｄ）調速機のコイルで検出する回転信号に基づいて調速制御するため、コイルが大きな外部磁界のノイズを拾うと回転検出ができなくなり、制御誤差が生じて時刻が狂ってしまうという課題がある。
【０００８】
（ｅ）調速機のロータにはコギングトルクが有るため、一旦停止すると起動しにくくなり、ゼンマイをフル巻状態に戻さなければならない場合があるという課題もある。
【０００９】
一方、特開昭５８−１７９３７９号公報には、機械時計のがんぎ車にロータを組み込んで発電するとともに、テンプに磁石およびコイルを追加して調速を行う電子時計が開示されている。
この電子時計は、前述のような発電機のロータを一方向に回転するのではなく、ひげぜんまいおよびテンプによる振動を利用して調速しており、また発電機と調速機とが別々に設けられているので、上記ａ，ｂ，ｃ，ｅの課題は解決できるが、ｄの課題は解決できないし、さらに下記のような新たな課題が発生する。
【００１０】
（ｆ）機械時計（メカ時計）のテンプ部分に磁石を追加し、コイルを配置しているために、調速機部分が大きくなり、各部品の配置などを大幅に見直さなければならず、設計変更が非常に大きくなり、かつ時計の小型化が難しいという課題がある。
その上、発電機のロータおよびコイルや、調速機の磁石およびコイルを別々に設けなければならないので、その点でも小型化が困難であるという課題がある。
【００１１】
（ｇ）振動するテンプ部分に磁石を組み込むため、摩擦損失が大きくなって実用化が難しいという課題もある。
【００１２】
本発明の目的は、外部磁界の影響を無くすことができ、かつ調速精度の低下を防止できるとともに、小型化が容易で摩擦損失も低減できる圧電調速機および電子機器を提供することにある。
【００１３】
【課題を解決するための手段】
本発明の圧電調速機は、機械的エネルギの伝達経路上に配置される圧電素子と、前記圧電素子の電極両端の接続をオンまたはオフして前記圧電素子のバネ定数を変化させて前記機械的エネルギによる運動の振動周波数を制御する制御装置とを備えたことを特徴とする。
【００１４】
圧電素子は、その電極の両端をオン（ショート）させて撓めると、機械的歪みのみが蓄積されるが、電極両端をオフ（オープン）させて撓めると、機械的歪みに加えてコンデンサに電気エネルギーが蓄積される。つまり、オープンさせた場合、圧電素子に加えられる機械的エネルギの１０％程度が圧電素子に電気エネルギとして蓄えられる。このため、同じ機械的エネルギを加えてもオープン状態のほうが変形量が小さくなり、つまりバネ定数が大きくなる。従って、圧電素子の電極の両端をオン・オフすると、圧電素子のバネ定数が約１０％程度の範囲で変化する。
【００１５】
このため、機械的エネルギの伝達経路上に圧電素子を配置し、その電極をオン・オフしてバネ定数を変化させることで、機械的エネルギの運動を制御することができる。
この圧電素子を利用した調速機によれば、外部磁界の影響を無くすことができるとともに、運動状態に応じてバネ定数を調整することで細かな調速制御が可能になり、精度の高い調速を行うことができる。その上、コイルや磁石が不要なため、小型化が容易で摩擦損失も低減できる。
【００１６】
また、前記圧電素子は螺旋形状とされ、かつ重りと結合されており、前記圧電素子のバネ定数を変化させて重りによる振動周波数を制御することで機械的エネルギによる運動を制御していることが好ましい。
【００１７】
機械的エネルギによる運動制御に振動を利用すれば、従来の調速機のようにロータを１方向に回転させた場合に比べて、無制御状態での調速誤差を抑えることができる。また、大きなトルクが加わっても、振幅が変化するだけで振動周波数は変化しないので、加えられるトルクが変化しても調速精度の低下を抑えることができる。
さらに、圧電素子を螺旋形状に形成すれば、つまり圧電素子を細長い帯状に形成すれば、圧電素子のバネ定数を小さくでき、撓みも大きくできるので、比較的小さな力でも容易に振動させることができ、停止状態からの起動を確実に行うことができる。
【００１８】
また、前記制御装置は、圧電素子で発電された電力で駆動されることが好ましい。
圧電素子をバネ定数の変化による運動の制御のみならず、発電機としても利用すれば、別途、電池等が不要になり、調速機を小型化できるとともに、安価に提供できる。
さらに、電池が不要なので、電池切れで使用できないということがなく、いつでも利用することができる。その上、電池の廃却による環境破壊を防止することもできる。
【００１９】
一方、前記制御装置は、電池または電源により駆動されることを特徴とするものでもよい。
各種の一次電池、二次電池やコンセントなどから供給される商用電源によって制御装置を駆動するようにすれば、回路構成を非常に簡単にできる利点がある。
【００２０】
ここで、前記制御装置は、圧電素子の振動周波数が設定信号の周波数よりも低い場合に前記圧電素子の電極間の電気回路を切断してバネ定数を高くし、設定信号の周波数よりも高い場合に前記圧電素子の電極間の電気回路を接続してバネ定数を低くして運動を制御することが好ましい。
【００２１】
このような制御を行えば、圧電素子の振動周波数が設定周波数よりも低い場合にはバネ定数が高くなるため、振動が速くなる。一方で、圧電素子の振動周波数が設定周波数よりも高い場合にはバネ定数が低くなるため、振動が遅くなる。このため、圧電素子の振動を設定信号と同じ周波数に収束させることができ、運動を簡単に制御することができる。
その上、比較的単純なフィードバック制御でよいため、制御装置を簡単な回路で構成でき、コストを低減できる。
さらに、設定信号を切り替え可能にすれば、より細かな制御が可能になり、かつ運動（振動）の速度が異なる各種機器に対しても、設定信号を切り替えた圧電調速機を組み込んで利用することもできる。
【００２２】
なお、前記設定信号としては、圧電調速機の外部に設けられた信号源からの信号を用いてもよいが、圧電調速機に備えられた基準信号源から出力される設定信号を用いることが好ましい。この設定信号としては、具体的には、水晶振動子を用いた水晶発振回路が好ましく、他の発振回路でもよい。
圧電調速機に備えられた水晶発振回路等の基準信号源からの信号を設定信号として用いれば、常時確実に信号を入力することができ、制御を確実に行うことができる。
【００２３】
また、本発明の圧電調速機は、前記圧電素子で発電された電力を蓄える蓄電手段を備え、前記制御装置は、圧電素子および蓄電手段間の電気回路に設けられたスイッチを断続して、前記圧電素子のバネ定数を切り替えるとともに、前記スイッチを接続する際に前記圧電素子の各電極間をショートするように制御していることが好ましい。
【００２４】
このような構成では、圧電素子および蓄電手段間のスイッチを切断すると圧電素子に電荷が蓄積され、バネ定数が高くなる。ここで、前記スイッチを接続すると、圧電素子の電荷はコンデンサや二次電池等で構成された蓄電手段に充電され、この蓄電手段からの電力で制御回路が駆動される。
この状態のままでは、圧電素子の電荷は、蓄電手段と同一レベルまで低下するが完全に「０」にはならないため、バネ定数は、スイッチ切断時よりは低いが圧電素子の電荷が「０」の場合よりは高くなる。従って、圧電素子の各電極間をショートすれば、スイッチのみをオン、オフしている場合に比べて、バネ定数の可変範囲つまりは制御範囲を大きくすることができる。
【００２５】
また、本発明の電子機器は、機械的エネルギを供給する機械的エネルギ源と、前記圧電調速機とを備えることを特徴とするものである。
このような電子機器によれば、外部磁界の影響による回転検出誤差が発生せず、高精度の調速制御が可能になり、かつ小型、軽量化を実現できてコストも低減できる。
【００２６】
また、電子機器は、前記機械的エネルギにより駆動される指針と、脱進機および調速機を備える電子制御式機械時計であり、前記圧電素子は、調速機のヒゲゼンマイとして用いられていることが好ましい。
【００２７】
このような電子制御式機械時計によれば、前記圧電素子がメカ時計のテンプを駆動するヒゲゼンマイの代わりに組み込まれ、この圧電素子の振動によって指針の動きを制御するように構成されているため、制御装置が作動していない状態でも、圧電素子の振動周波数は大幅に変動することがなく、メカ時計と同様に指針をほぼ正確に作動させることができる。このため、ロータおよび磁石を備えた発電・調速機で制御する時計のように、針合わせのための複雑な機構を不要にでき、制御回路のＩＣが動かないような低い電圧でも大きな時刻狂いが発生しないようにすることができ、時刻指示精度を高めることができる。
【００２８】
さらに、ゼンマイ等の機械的エネルギ源から大きな駆動力が加わっても、振動周波数は大幅に変動しないので、大きな狂いが生じず、常時安定した運針を実現できる。
その上、基本的にはメカ時計のヒゲゼンマイを圧電素子に置き換えるだけでよく、他のテンプ、アンクル、がんぎ車、輪列、ゼンマイ等は、普通のメカ時計と同様の部品を流用でき、その分、コストを低減できる。さらに、圧電素子を利用した点と、制御回路が必要な点で、普通のメカ時計に比べると、コストが高くなるが、普通のメカ時計に対し、僅かな部品の追加でより高精度な電子制御式機械時計を製造でき、両方の時計を低コストで製造することができる。また、磁石やコイルが不要なため、テンプなどを軽量化でき、摩擦損失を低減できて持続時間等を延長でき、かつ時計を小型化できる。
【００２９】
【発明の実施の形態】
以下に、本発明の実施形態を図面に基づいて説明する。
図１には、本発明の電子制御式機械時計１００の概略構成が示され、図２にはそのブロック図が示されている。
【００３０】
電子制御式機械時計１００は、ゼンマイ１ａ、香箱歯車１ｂ、香箱真１ｃ、及び香箱蓋からなる香箱車１を備えている。ゼンマイ１ａは、外端が香箱歯車１ｂ、内端が香箱真１ｃに固定される。筒状の香箱真１ｃは、地板に設けられた支持部材に挿通されて角穴ネジによって固定され、角穴車４と一体で回転する。角穴車４は、リューズ２により丸穴車３等を介して回転され、ゼンマイ１ａが巻き上げられる。
【００３１】
ここで、香箱歯車１ｂの回転は、増速輪列となる二番車７、三番車８、四番車９の各番車を介して増速されている。これらの各番車７〜９は、地板および輪列受け等で軸支されている。そして、これらの各番車７〜９によって、機械的エネルギ源であるゼンマイ１ａ（香箱歯車１ｂ）からの機械的エネルギを伝達する機械的エネルギ伝達手段（輪列）が構成されている。
【００３２】
なお、図１では、三番車８に噛み合う秒かなに固定された秒針１４のみが表示されているが、実際には、図示しない筒かなや筒車を介して駆動される分針や時針も設けられている。
【００３３】
また、電子制御式機械時計１００は、通常のメカ時計と同様な、がんぎ車２１およびアンクル２２を備えた脱進機と、テンプ２５を備えた調速機とを備えている。
脱進機は、四番車９を介してゼンマイ１ａから供給される機械的エネルギを調速機に少しずつ供給して調速機の振動を維持させるとともに、調速機の振動周期に従って輪列の回転速度を制御している。
【００３４】
テンプ２５は、テン輪２６、ヒゲゼンマイとして用いられる圧電素子３０、振り座２７等を備えて構成されている。圧電素子（ヒゲゼンマイ）３０の内周端はテン輪２６の中心にあるヒゲ玉に固定され、外周端は地板等に固定されたヒゲ持２８で支持されている。
【００３５】
そして、本実施形態では、圧電素子（ヒゲゼンマイ）３０は、図３に示すような圧電素子で構成されている。
この圧電素子３０は、細長く帯状に成形されたバイモルフタイプの圧電体であり、通常のヒゲゼンマイと同様に螺旋状に巻かれて収納されている。
圧電素子３０は、帯状のセラミック、例えばジルコニアの両側面に金属ペーストを塗布して導通させたものをシム材３１として用いており、この両側面に２層のチタン酸ジルコン酸鉛（ＰＺＴ）からなる圧電素子層３２ａ，３２ｂを形成してある。これら圧電素子層３２ａ，３２ｂの表面には、アルミニウムなどによる電極３３ａ、３３ｂが形成されており、それぞれの圧電素子層３２ａ，３２ｂは、シム材３１から電極３３ａ、３３ｂの方向に分極されている。
【００３６】
このような螺旋状の圧電素子３０は、アンクル２２やテン輪２６の動きに連動して伸び縮みし、矢印Ａの方向に変位する。従って、圧電素子層３２ａ，３２ｂには矢印Ｂの方向に一方が圧縮の時、他方は引張りの歪みが発生し、これによって圧電素子層３２ａ，３２ｂの分極方向に逆向きの電位が発生する。従って、本例の圧電素子３０においては、２つの圧電素子層３２ａ，３２ｂが直列に接続されている状態となる。
【００３７】
この圧電素子３０の電極３３ａ、３３ｂは、図２に示すように、整流回路５１に接続されており、これにより圧電素子３０は圧電発電機として機能して交流電流を出力し、整流回路５１で直流電流に整流されて制御回路５２を駆動している。
そして、制御回路５２は、圧電素子３０の振動信号を検出し、水晶振動子（実際には水晶振動子を含む水晶発振回路）５３からの信号を元に作成された設定信号と比較し、圧電素子３０を制御するように構成されている。
そして、これらの圧電素子３０、整流回路５１、制御回路５２、水晶振動子（水晶発振回路）５３によって電子調速機（圧電調速機）５０が構成されている。
【００３８】
電子調速機５０の具体的な回路構成を図４に示す。本実施形態では、整流回路５１として、２つの電界効果型トランジスタ（ＦＥＴ）５５，５６および２つのダイオード５７，５８を用いた簡易同期整流回路が用いられている。
電界効果型トランジスタ５５は、圧電素子３０の交流出力端子ＭＧ２にゲートが接続されたＰｃｈ（Ｐチャネル）の電界効果型トランジスタで構成され、電界効果型トランジスタ５６は、圧電素子３０の交流出力端子ＭＧ１にゲートが接続されたＰｃｈ（Ｐチャネル）の電界効果型トランジスタで構成されている。
【００３９】
このため、交流出力端子ＭＧ１の極性が「＋」で交流出力端子ＭＧ２の極性が「−」の時には、電界効果型トランジスタ５５がオンされ、電界効果型トランジスタ５６がオフされる。このため、圧電素子３０で発生した電荷は、図４において、「交流出力端子ＭＧ１→電界効果型トランジスタ５５→コンデンサ５４→スイッチング素子５９→ダイオード５８→交流出力端子ＭＧ２」の回路によってコンデンサ５４に充電される。
逆に、交流出力端子ＭＧ１の極性が「−」で交流出力端子ＭＧ２の極性が「＋」の時には、電界効果型トランジスタ５６がオンされ、電界効果型トランジスタ５５がオフされる。このため、圧電素子３０で発生した電荷は、「交流出力端子ＭＧ２→電界効果型トランジスタ５６→コンデンサ５４→スイッチング素子５９→ダイオード５７→交流出力端子ＭＧ１」の回路によってコンデンサ５４に充電される。
【００４０】
従って、簡易同期整流回路５１では、圧電素子３０の各出力端子ＭＧ１，ＭＧ２の極性に同期して自動的に各トランジスタ５５，５６がオン、オフされて整流が行われることになる。
なお、簡易同期整流回路５１にコンデンサ等を追加して昇圧することもできるが、圧電素子３０は電圧が高いため、制御回路５２を作動させるためには昇圧する必要はなく、整流機能のみを有する整流回路５１を利用するほうが好ましい。
【００４１】
制御回路５２は、ＩＣなどで構成されてコンデンサ５４からの電力で作動される。制御回路５２は、圧電素子３０からの振動信号と、水晶振動子５３からの設定信号とを比較し、トランジスタ等で構成されたスイッチング素子５９をオン、オフする。
具体的には、圧電素子３０の振動周波数が設定信号の周波数よりも低い場合には、スイッチング素子５９をオフし、高い場合にはオンする。
【００４２】
ここで、スイッチング素子５９がオフされた場合に、圧電素子３０がテン輪２６の回動等による機械的エネルギにより変形されると、その全エネルギの１０％程度が電気エネルギとして蓄えられる。従って、同じ機械的エネルギを加えても変形量が小さくなり、つまりバネ定数が大きくなり、圧電素子３０の振動は速くなる。
一方で、スイッチング素子５９がオンされた場合には、圧電素子３０に電気エネルギが蓄積されず、機械的エネルギのみになるため、変形量が大きくなり、つまりバネ定数が小さくなり、圧電素子３０の振動は遅くなる。
【００４３】
以上により、制御回路５２で比較する設定信号を適切に設定しておくことで、圧電素子３０つまり時計１００の調速機であるテンプ２５の振動周期は水晶振動子５３からの信号を基準とした設定周期に維持され、通常のヒゲゼンマイによる機械時計に比べて電子制御式機械時計１００の精度が向上する。
【００４４】
このような本実施形態によれば、次のような効果がある。
(1) ゼンマイ１ａから供給される機械的エネルギの伝達経路上に配置された圧電素子３０のバネ定数を変化させて、機械的エネルギの運動を制御しているので、外部磁界の影響で調速誤差が発生することを防止できる。従って、耐磁性能が高い電子調速機５０つまりは電子制御式機械時計１００を提供することができる。
【００４５】
(2) 磁石やコイルが不要なため、圧電素子３０が設けられたテンプ２５を軽量化でき、摩擦損失を低減できて持続時間等を延長できる。また、磁石、コイルが不要なため、電子調速機５０つまりは時計１００を軽量、小型化できる。
【００４６】
(3) 圧電素子３０を細長い帯状のもので螺旋状に形成しているので、圧電素子のバネ定数を小さくでき、撓みも大きくできる。このため、圧電素子３０つまりはテンプ２５を振動させるために必要なトルクは小さくてよく、電子制御式機械時計１００に内蔵されるゼンマイ１ａのトルクによっても、容易にかつ確実に駆動させて振動させることができる。
【００４７】
(4) 圧電素子３０によるバネ定数の変動幅は、約１０％程度であるため、バネ定数を変化させても振動が大幅に変動することもなく、テンプ２５は安定した振動を維持することができる。
その上、変動幅が大きいと制御が複雑になり、かえって制御しきれない場合があるが、本実施形態のように１０％程度の変動幅であれば、単純な制御でよく、かつ確実に制御することができる。
【００４８】
(5) メカ時計と同様に、テンプ２５の振動によって調速しているため、外乱等によって大きなトルクが加わっても、振幅が大きくなるだけであり、磁石およびロータによってロータの回転速度を調速する場合に比べて、トルク変動に対する時刻精度を向上することができる。
【００４９】
(6) 圧電素子３０で発電した電力で制御回路５２を駆動しているので、別途電池を設ける必要が無く、電池切れなどによって使用できないという問題が発生することがなく、電子制御式機械時計１００をいつでも使うことができる。
また、電池が不要なため、電池の廃却による環境破壊の発生を防止することができる。
【００５０】
(7) さらに、トルクが小さくなるなどで制御回路５２が停止した場合、ロータの回転速度を調速する方式では時刻精度が非常に低下するが、本実施形態では、振動によって調速しているので、精度は若干悪くなるが、大きな指示ずれは生じず、使用上問題とならない状態での持続時間をより延長することができる。
【００５１】
(8) 針合わせのために、圧電素子３０の発電を停止し、制御回路５２が停止した場合でもほぼ正確に動くので、ロータ回転により調速する場合のように、針合わせ時の誤差修正用の複雑な機構を組み込む必要が無く、その分コストを低減でき、かつ時計１００を小型化することもできる。
【００５２】
(9) 基本的にはメカ時計のヒゲゼンマイを圧電素子３０に置き換え、電子調速機５０を構成する整流回路５１、制御回路５２、水晶振動子５３、コンデンサ５４、スイッチング素子５９などを追加するだけでよく、他のテン輪２６、アンクル２２、がんぎ車２１、輪列、ゼンマイ１ａ等は、普通のメカ時計と同様の部品を流用できる。このため、コストの増加を抑えることができるとともに、高精度の時計１００を製造できる。
【００５３】
(10)クオーツ時計のようなステップ運針ではなく、機械時計と同様なハイビートの連続運針を実現でき、速度ムラも抑えることができる。
【００５４】
なお、本発明は前記実施形態に限定されるものではなく、本発明の目的を達成できる範囲での変形、改良等は、本発明に含まれるものである。
【００５５】
例えば、前記実施形態では、圧電素子３０とコンデンサ５４との間のスイッチング素子５９のみをオン、オフして制御していたが、図５に示すように、各トランジスタ５５，５６に並列に、電界効果型トランジスタ６１，６２を接続し、そのオン、オフをも制御回路５２で制御するようにしてもよい。
【００５６】
このような構成では、制御回路５２で電界効果型トランジスタ６１，６２をオンすれば、圧電素子３０の各出力端子ＭＧ１，ＭＧ２をショートすることができる。このため、前記実施形態では、スイッチング素子５９をオンした際には、圧電素子３０の電荷はコンデンサ５４の充電レベルに維持されて完全に「０」にはならないのに対し、各出力端子ＭＧ１，ＭＧ２をショートして放電できるので圧電素子３０の電荷を完全に「０」にできる。従って、圧電素子３０において可変するバネ定数の範囲が大きくなり、運動（振動）の制御範囲を大きくすることができる。
【００５７】
また、前記実施形態では、圧電素子３０で発電された電力で制御回路５２を駆動していたが、図６に示すように、制御回路５２は電池７１で駆動し、圧電素子３０はバネ定数を可変するためだけに設けてもよい。
なお、電池７１としては、通常の１次電池や充電可能な二次電池でもよいし、太陽電池等を用いてもよい。このような電池駆動式にすれば、整流回路５１を不要にできるメリットがある。また、電池７１の代わりに、コンセント等の電源から供給される電力で制御回路５２を駆動してもよい。
【００５８】
さらに、整流回路５１の具体的な構成などは、前記実施形態に限らず、ブリッジ整流回路等の他の構成の整流回路を利用してもよい。
【００５９】
また、制御回路５２で基準となる設定信号は、前記実施形態のように、圧電調速機５０に備えられた水晶振動子（水晶発振回路）５３等の基準信号源からの信号に限らず、圧電調速機５０の外部に設けられた信号源からの信号を用いてもよい。例えば、時間情報を含む標準電波を設定信号として利用してもよいし、自動車等の信号源を有する機器に本発明の圧電調速機を組み込んだ場合には、それらの機器の信号源からの信号を利用してもよい。
【００６０】
また、圧電素子３０の構成も前記実施形態に限らず、例えば、図７に示すように、２つの圧電素子層３２ａ、３２ｂが直に積層されており、これらの外側の面に電極３３ａ、３３ｂが形成されたような構造のものでもよい。
要するに、圧電素子３０としては、従来から知られている種々のものが利用できる。また、これらの圧電素子３０の製造方法としては、特開平９−２１１１５１号公報に開示されたような、グリーンシート法、水熱法等が利用できる。
【００６１】
本発明の圧電調速機は、電子制御式機械時計１００に適用する場合に限らず、調速（運動）制御が必要な各種玩具、オルゴール、メトロノーム、各種機械等に広く適用できる。
【００６２】
【発明の効果】
以上に述べたように、本発明の圧電調速機および電子機器によれば、外部磁界の影響を無くすことができ、かつ調速精度の低下を防止できるとともに、小型化が容易で摩擦損失も低減できるという効果がある。
【図面の簡単な説明】
【図１】本発明の実施形態における電子制御式機械時計の要部の構成を示す概略斜視図である。
【図２】本実施形態の電子制御式機械時計の構成を示すブロック図である。
【図３】本実施形態の圧電素子の構造を示す図である。
【図４】本実施形態の圧電調速機を示す回路図である。
【図５】本発明の圧電調速機の変形例を示す回路図である。
【図６】本発明の圧電調速機の他の変形例を示す回路図である。
【図７】本発明の圧電素子の変形例の構造を示す図である。
【符号の説明】
１      香箱車
１ａ      ゼンマイ
１ｂ      香箱歯車
１ｃ      香箱真
２      リューズ
３      丸穴車
４      角穴車
７、      二番車
８      三番車
９      四番車
１４      秒針
２１      がんぎ車
２２      アンクル
２５      テンプ
２６      テン輪
３０      圧電素子
３１      シム材
３２ａ，３２ｂ      圧電素子層
３３ａ、３３ｂ      電極
５０      電子調速機
５１      簡易同期整流回路
５２      制御回路
５３      水晶振動子
５４      コンデンサ
５５，５６      電界効果型トランジスタ
５７，５８      ダイオード
５９      スイッチング素子
６１，６２      電界効果型トランジスタ
７１      電池
１００      電子制御式機械時計
【図１】
0003767388.tif 000002
【図２】
0003767388.tif 000003
【図３】
0003767388.tif 000004
【図４】
0003767388.tif 000005
【図５】
0003767388.tif 000006
【図６】
0003767388.tif 000007
【図７】
0003767388.tif 000008